Podtech/llm-jp-corpus-v4-ja_patent huggingface dataset:
(57)【要約】      （修正有）【課題】迅速かつ容易な支柱の組み立てや解体ができ、そして堅固な構造の支柱の組み立てを可能にする園芸用支柱固定具を提供する。【解決手段】固定具として「はさみ板」を使用し、「はさみ板」間の固定具に「渡し棒」を使用することにより、迅速かつ容易に合掌式の支柱を組み立てることができる。またこれらの固定具をビスと蝶ナットで固定することにより屋外でも工具を使わずに容易に組み立てができる。さらに「渡し棒」に上下通る穴を設けることにより直立式の支柱を堅固に固定することができることを特徴とする。【選択図】図１
0003161521.tif 000002
【実用新案登録請求の範囲】
【請求項１】
合掌式支柱の固定具に「はさみ板」を使用し、「はさみ板」間の固定に「渡し棒」を使用することにより迅速にかつ容易に支柱を組み立てることができる固定具
【請求項２】
「渡し棒」に上下に通じる穴を設けることにより直立式の支柱の設置を可能とする請求項１の固定具
【請求項３】
「はさみ板」の固定および「渡し棒」の固定にビス及び蝶ナットを使用し屋外で工具を使わずに組み立てができる請求項１または２記載の固定具
【考案の詳細な説明】
【産業上の利用分野】
【０００１】本考案は、園芸用の合掌式の支柱の固定に際し固定具を使用することにより容易にかつ堅固に支柱を固定することができる固定具に関するものである。
【背景技術】
【０００２】従来の支柱を固定する器具としては〔公開日〕１９９６年９月２４日〔公開番号〕特許公開平８−２４２７００〔考案の名称〕農園芸用支柱の固定具のように直角に交差する支柱を固定するための固定具の発明があったが、支柱を立てる方式として一般的に使用される合掌式に使用することは支柱固定の角度に自由度がないため困難である。
また、交差する支柱を自在の角度に固定できるものとして〔公開日〕２００３年１０月２４日〔公開番号〕特許公開平２００３−３０１５２８〔考案の名称〕園芸用支柱の連結具が発明され、合掌式の支柱の固定ができるようになった。
しかしながら、合掌式の支柱は直立式の支柱の固定を堅固にする目的があるが、「園芸用支柱の連結具」では直立式の支柱の固定ごとに連結具を要することとなり組み立てに時間を要するものと思われる。
【考案が解決しようとする課題】
【０００３】園芸用の合掌式の支柱の組み立てに関し迅速かつ容易に組み立てることができ、しかも堅固な構造にすること、また、直立式の支柱を立てることも可能とすることを課題としている。
【課題を解決するための手段】
【０００４】本考案は、園芸用の合掌式に使用する支柱を合掌状態で「はさみ板」により固定し、「はさみ板」間を「渡し棒」で固定することにより迅速かつ容易に組み立てることを可能とすることを特徴としている固定具である。
また、渡し棒には上下に通じる複数の穴があり、直立式の支柱も固定することができることを特徴とする。
さらに、「はさみ板」どうし及び「はさみ板」と「渡し棒」の固定にはビスと蝶ナットを使用することにより屋外で工具を使わずに固定できることも特徴となっている。
【実施例】
【０００５】以下に本考案の一実施例を図面に基づいて説明する。
図１は本考案の固定具を使用し合掌式の支柱を「はさみ板」で固定し、「はさみ板」間を「渡し棒」で固定し、「渡し棒」に直立式の支柱を立てた全体斜視図である。
図２は、「はさみ板」により合掌式支柱をビスと蝶ナットで固定し、かつ「はさみ板」と「渡し棒」をビスと蝶ナットで固定する構造を示した分解説明図である。【０００６】図１は、合掌式の支柱を６本使用し、直立式の支柱を２本使用した例の図である。直立式の支柱は「渡し棒」に上下に通じる複数の穴が設けられており、栽培する植物に応じて直立式の支柱の本数および間隔を変えることができる。
また、組み立ては、まず合掌式の支柱を地面に差し込み「はさみ板」を使用してビスと蝶ナットで固定し、次に「渡し棒」で「はさみ板」間をビスと蝶ナットで固定することとなる。本件例の場合、ビスと蝶ナットは９組であり、工具を使用せず迅速に組み立てることができる。
【考案の効果】
【０００７】以上述べたように、本考案によれば、合掌式の支柱を迅速かつ容易に組み立てや解体を行うことができる。また直立式の支柱も立てることができる。
かつ、「はさみ板」と「渡し棒」との固定により堅固な構造にすることができる効果が得られる。
【図面の簡単な説明】
【０００８】
【図１】本考案の固定具と支柱を組み立てた状態の全体斜視図
【図２】合掌式支柱と直立式支柱を固定する構造を示す分解説明図
【符号の説明】
【０００９】１１  合掌用支柱
１２  直立用支柱
２１  「はさみ板」（後用、「渡し棒」を止めるねじ穴有）
２２  「はさみ板」（前用）
２３  ビス        （「はさみ板」用）
２４  蝶ナット    （「はさみ板」用））
３１  「渡し棒」  （「はさみ板」間の固定用兼直立支柱通し用）
３２  ビス        （「渡し棒」と「はさみ板」（後用）の固定用）
３３  蝶ナット    （「渡し棒」と「はさみ板」（後用）の固定用）
【図１】
0003161521.tif 000003
【図２】
0003161521.tif 000004
【手続補正書】
【提出日】平成22年5月2日(2010.5.2)
【手続補正２】
【補正対象書類名】実用新案登録請求の範囲
【補正対象項目名】全文
【補正方法】変更
【補正の内容】
【実用新案登録請求の範囲】
【請求項１】
合掌式の一対の支柱を両側からはさみ固定するために内側に溝が施されている固定具である「はさみ板」を使用し、２つ以上の対となっている合掌式の「はさみ板」間の距離を一定に保つために「はさみ板」に連結し「はさみ板」間を水平に渡した「渡し棒」を使用することにより支柱を固定することで針金や紐で固定した場合と比較し支柱を堅固に固定することができる固定具
【請求項２】
「渡し棒」に一定の間隔で上下に通じる穴が設けてあり、直立式の支柱をこの穴を通して地面に差し込むことで直立式の支柱が倒れることなく固定することを可能とする請求項１の固定具
【請求項３】
１対の合掌式の支柱をはさんで固定するために、はさみこむ一対の「はさみ板」には水平に２箇所の穴が開いており、支柱をはさんだ後にこの穴にビスを差し込み蝶ナットで締めることで合掌式の支柱が固定されること、および「はさみ板」と「渡し棒」に上下に通じる穴が開いており「はさみ板」の上に「渡し棒」を乗せ、上下の穴を通じビスを差し込み蝶ナットで締めつけることにより屋外で工具を使わずに迅速かつ容易に組み立てができる請求項１または２記載の固定具
(57)【要約】      （修正有）【課題】肩コリをマッサージで解消するように、毎日の歯磨き時間に、手軽に口腔内の頬の内側の筋肉をマッサージすることで、顔のこわばり、歪み、たるみ等を軽減・解消する歯ブラシを提供する。【解決手段】歯ブラシの植毛部分の背面が本体と同じ素材で、衛生管理し易い凹凸のない滑らかな人さし指の腹状（またはかまぼこ型）の形状になっている。【選択図】図１
0003161524.tif 000002
【実用新案登録請求の範囲】
【請求項１】
歯ブラシがブラシ面と頬の内側の筋肉をマッサージする部分の二面で構成されている。歯の洗浄時に背面を使用すれば、手軽にマッサージが出来る。
【請求項２】
頬の内側に接触するマッサージ面は雑菌が入り込む凹凸がなく、滑らかなかまぼこ型の形状をしており、その形状部分は歯ブラシ本体と同じ素材であり雑菌洗浄がし易く衛生的である。
【考案の詳細な説明】
【技術分野】
【０００１】本考案はブラシ面と口腔内の頬の内側筋肉をマッサージするのに適した形状をした面の２面をもつ歯ブラシである。
【背景技術】
【０００２】従来の口腔内のマッサージ効果を求めた歯ブラシは、歯周病や歯周炎予防など歯肉へ働きかけるものが多い。口腔内の筋肉のコリほぐしやマッサージができ、かつブラシ部分が一体化した歯ブラシはなかった。【０００３】従来の口腔内のマッサージ効果を高めるものは、電動や素材にゴムが使用されるゴムが使用されるなど歯ブラシとは異なる器具であり、マッサージしたい時だけに手にするものであった。【０００４】従来の口腔内の筋肉マッサージ（オーラルリフレクソロジー）は人さし指の腹を使って、頬の内側から頬を押し出す動きで筋肉のコリをほぐし、顔のゆがみ改善に効果を上げているが、歯科の施術項目であり毎日気軽に行うことではない。
【先行技術文献】
【０００５】
【実用新案文献１】
実用新案登録第３１１３０２７号公報
【実用新案文献２】
実用新案登録第３０５７９２０号公報
【０００６】
【特許文献１】特開２００９−１９５６６０号公報
【特許文献２】特開２００３−３２５２３０号公報
【考案の概要】
【考案が解決しようとする課題】
【０００７】整体やマッサージで体のコリや疲労を解消するように、頬の内側のツボや筋肉をほぐすことで顔の筋肉の疲れ、コリや歪みを解消するための考案である。【０００８】わざわざマッサージ用の器具を手にすることなく、毎日手にする歯ブラシ１本で歯磨きの時間内に口腔内のマッサージが出来る手軽さを考案とする。【０００９】通常の歯ブラシは植毛部裏のプラスチック部分の厚みがないため、従来の歯ブラシで頬の内側の皮膚をマッサージするには、口腔内の皮膚を傷めてしまう可能性がある。【００１０】口腔内で使用するものであるから、衛生的に保つために簡単に洗浄が出来ることが必然である。
【課題を解決するための手段】
【００１１】ブラシ部分の背面が、マッサージに的に適した滑らかなかまぼこ型の形状になっている。【００１２】歯ブラシの柄と同じ素材であることで、パーツごとに洗浄する必要もなく、従来の歯ブラシの衛生管理と変わりなく使用できる。
また、その形状に凹凸がない滑らかな形状であることで細かい溝に雑菌が入りこむ心配もなく衛生的である。
【考案の効果】
【００１３】頬の内側にあるツボを刺激することで、顔のむくみ、ゆがみの改善、ほうれい線を薄くするなどに効果がある。歯磨きの延長で手軽にマッサージ面を利用しマッサージに移ることが出来て、ケアの持続が期待される。【００１４】家庭での使用のみならず、特に接客業の職場にこの歯ブラシの携帯を薦める。昼食後の歯磨き時等に頬の内側の筋肉をほぐすことで、疲れが軽減し、笑顔のリフレッシュに役立つものと疑わない。【００１５】高齢者向けに顔の筋肉のこわばりの改善にも効果を発するものと疑わない。よって、高齢者施設や医療施設での利用者の使用が多いに望ましい。
【図面の簡単な説明】
【００１６】
【図１】  側面図
【図２】  正面図
【図１】
0003161524.tif 000003
【図２】
0003161524.tif 000004
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
歯ブラシのヘッド部分がブラシ面と、その背面が植毛部分と同じ面積に頬の内側に触れても皮膚を傷つけない滑らかな突起を有する面の二面で構成されており、その滑らかな突起面で歯を磨く際に頬の内側をマッサージできる背面を持つ歯ブラシ。
【請求項２】
歯ブラシのブラシ部分の背面の突起は歯ブラシ本体と同質の材料から成っていることを特徴とする請求項１記載の頬の内側の筋肉をマッサージできる背面を持つ歯ブラシ。
(57)【要約】      （修正有）【課題】特定物だけをペーパークラフトに印刷させる写真撮影プリント出力パッドを提供する。【解決手段】布繊維のポリエステル１００％繊維からなる。【選択図】図１
0003161523.tif 000002
【実用新案登録請求の範囲】
【請求項１】
カメラ写真撮影プリント繊維装飾出力パッド用のポリエステル１００％繊維を用いた製品の実用新案登録請求の範囲である。
【請求項２】
スキャナ搭載型プリンタ機の原稿台カバーとして使用するプリンタ出力パッド用のポリエステル１００パーセント繊維を用いた商品の実用新案登録請求の範囲である。
【考案の詳細な説明】
【技術分野】
【０００１】本考案は、カメラ撮影やスキャナ搭載型プリンタ機で草花などといった特定物だけをペーパークラフトにプリント印刷させる特殊な繊維装飾出力パッドである。
【背景技術】
【０００２】カメラで撮影した写真には対象物以外の景色まで映り、撮影時に不必要な背景画像を簡単にカットするのは難しい。対象物だけをクローズアップさせたい撮影写真を、ペーパークラフトにプリント印刷するには特殊な装置を使わなければならない。【０００３】撮影時に対象物以外を写さないために白系の布地ならどれでも構わないように思えた。しかし、それら白地の繊維を用いてペーパークラフトにプリント印刷させると、画素密度の高いカメラほど繊維の網目までカメラは写し出す。【０００４】画素密度の高いカメラやスキャナ搭載型プリンタ機で、繊維の折り目を写し出さない優れた出力パッドが、ポリエステル１００パーセント繊維であった。それを使用して撮影したい物体だけを対象に映し出す技術を見出し、ペーパークラフトにプリント印刷させる方法を可能にした。
【先行技術文献】
【非特許文献】
【０００５】ポリエステル１００パーセント繊維は、一つに、折り目のメッシュが非常に細かいこと。二つには、シワになりにくい。三つめに光りを通しにくいことと、さらに光りを反射する繊維である特性があるため自然の美しさを醸し出す。 
【考案の概要】
【課題を解決するための手段】
【０００６】  シルクのように薄いポリエステル１００パーセントの繊維は非常に柔らかくシワも寄りにくいため携帯用に持ち運べるが、滑りやすい素材であるため収納管理が難しい。そこで、スチィール製の細い棒状に縫製して完成させることでコンパクトに収納でき管理しやすい。【０００７】縫い目内にスチィール棒が入り、ポリエステル１００パーセント白系繊維で縫い合わせられ、洗濯も可能であり、また、縁取りの棒を取り外せることで用途を広げる。 
【考案の効果】
【０００８】本件の繊維を使った撮影画像をペーパークラフトにプリント印刷させると、対象物以外の余白全体を白紙状に仕上げられるので、パソコン用インクジェット用紙として独自のオリジナル写真入り文章が家庭でも手軽に手掛けられる。【０００９】  社会に普及しているデジタルカメラ、パソコン、スキャナ搭載型プリンタの組み合わせが広がり、家電製品分野拡大、及び、ポリエステル繊維販路拡大で経済効果を図れる。
【図面の簡単な説明】
【００１０】
【図１】は、下記のGIF方式画像で説明した。
【００１１】  図面内で、極薄の繊維を平面図で表現し、縫い目内にスチィール棒が入っており、ポリエステル１００パーセント白系繊維を縫い付けた。各々のサイズは図面上部に分類して記載。
【図１】
0003161523.tif 000003
【手続補正書】
【提出日】平成22年5月17日(2010.5.17)
【手続補正１】
【補正対象書類名】実用新案登録請求の範囲
【補正対象項目名】全文
【補正方法】変更
【補正の内容】
【実用新案登録請求の範囲】
【請求項１】
布繊維のポリエステル１００％繊維からなり、スキャナ搭載型プリンタ機によるプリント出力パットとしてプリントの装飾を施すための写真撮影プリント出力パッド。
【請求項２】
布繊維のポリエステル１００％繊維からなり、デジタルカメラで写真撮影する出力パットとしてプリントの装飾を施すための写真撮影プリント出力パッド。
【手続補正２】
【補正対象書類名】明細書
【補正対象項目名】全文
【補正方法】変更
【補正の内容】
【考案の詳細な説明】
【技術分野】
【０００１】
本考案は、カメラやスキャナ搭載型プリンタ機で草花などといった特定物だけをペーパークラフトにプリント印刷させる特殊な繊維装飾パッドである。
【背景技術】
【０００２】
カメラで撮影した写真には対象物以外の景色まで映り、撮影時に不必要な背景画像を簡単にカットするのは難しい。対象物だけをクローズアップさせたい撮影写真を、ペーパークラフトにプリント印刷するには特殊な装置を使わなければならない。
【０００３】
撮影時に対象物以外を写さないために白系の無地ならどれでも構わないように思えた。しかし、それら白地の繊維を用いてペーパークラフトにプリント印刷させると、画像密度の高いカメラほど繊維の網目までカメラは写し出す。
【０００４】
画素密度の高いカメラやスキャナ搭載型プリンタ機で、繊維の折り目を映し出さない優れた出力パッドが、ポリエステル１００パーセント繊維であった。それを使用して撮影したい物体だけを対象に映し出す技術を見出し、ペーパークラフトにプリント印刷させる方法を可能にした。
【先行技術文献】
【非特許文献】
【０００５】
ポリエステル１００パーセント繊維は、一つに、折り目のメッシュが非常に細かいこと。二つに、シワになりにくい。三つめに光りを通しにくいことと、さらに光りを反射する繊維である特性があるため自然の美しさを醸し出す。
【考案の概要】
【課題を解決するための手段】
【０００６】
シルクのように薄いポリエステル１００パーセントの繊維は非常に柔らかくシワも寄りにくいため携帯用に持ち運べるが、滑りやすい素材であるため収納管理が難しい。そこで、スチィール製の細い棒状に縫製して完成させることでコンパクトに収納でき管理しやすい。
【０００７】
縫い目内にスチール棒が入り、ポリエステル１００パーセント白系繊維で縫い合わせ、洗濯も可能であり、また、縁取りの棒を取り外せることで用途が広がる。
【考案の効果】
【０００８】
本件の繊維を使った撮影画像をペーパークラフトにプリント印刷させると、対象物以外の余白全体を白紙状に仕上げられるので、パソコン用インクジェット用紙として独自のオリジナル写真入り文章が家庭でも手軽に手掛けられる。
【０００９】
社会に普及しているデジタルカメラ、パソコン、スキャナ搭載型プリンタの組み合わせが広がり、家電製品分野の拡大、及び、ポリエステル繊維販路拡大で経済効果を図れる。
【００１０】
図１は、下記のＧＩＦ方式画像で説明した。
【００１１】
図面内で、極薄の繊維を平面図で表現し、縫い目内にスチール棒が入っており、ポリエステル１００パーセント白系繊維を縫い付けた。各々のサイズは図面上部の分類にして記載。
【符号の説明】
【００１２】
１  長方形Ｌサイズ
２  １５００ミリ
３  ２０００ミリ
４  楕円・四角形Ｌサイズ
５  １５００ミリ
６  １５００ミリ
７  四角形Ｓサイズ
８  ６００ミリ
９  ４００ミリ
１０  楕円形Ｍサイズ
１１  ６００ミリ
１２  ４００ミリ
１３  縫い目内に入るスチール棒
【手続補正３】
【補正対象書類名】図面
【補正対象項目名】全図
【補正方法】変更
【補正の内容】
【図１】
0003161523.tif 000004
(57)【要約】      （修正有）【課題】一般家庭、病院、介護施設等において、仰臥した要介護者の洗髪時に使用する洗浄水の飛散防止と排水を行う時に使用するバット状の用具で、要介護者を極力動かさずにバットの挿入、取り外しが容易にできると共に、安価なプラスチックフィルムカバーの使用により、バットの洗浄を不要とした用具を提供する。【解決手段】要介護者１４の頭部を収容する洗髪用バット１は、４枚の板とそれらを連結しているフリーストップ蝶番より成るベースに、安価なプラスチックフイルム製カバーを被せた物により構成されており、当初は平板状に広げた状態にして要介護者の頭部下に挿入した後に、周囲３面の板を任意の角度まで立ち上げバット状の形状とした後に、温水シャワーにより洗髪し、廃水はカバーの一部分に設けた排水口１２より処理する、洗髪した後は再び平板状に戻し頭部下より取り出し、必要に応じてプラスチックフイルム製カバーは新しく交換する。【選択図】図１
0003161563.tif 000002
【実用新案登録請求の範囲】
【請求項１】
主体のベース板と側壁からなる３枚の板と複数個のフリーストップヒンジを組合せ、平板状としたものに排水導入管を設けたプラスチックフィルム製のカバーを被せ、要介護者の頭部下に挿入後周囲の板を順次に任意の角度の位置に立ち上げバット状とし、シャワー等により洗髪が行える事を特徴とした介護用洗髪バット。
【請求項２】
プラスチックフィルムの周囲の部分に板が差し込める様なポケット形状とし、また中央の一部分に漏斗形状の排水導入管を各々溶着加工にて製作したプラスチックカバーを、平板状とした板に容易に取り付け取り外しが出来る様にした、請求項１記載の介護用洗髪バット。
【考案の詳細な説明】
【技術分野】
【０００１】本考案は一般家庭、病院、介護施設等において、仰臥した要介護者の洗髪時に使用する洗浄水の飛散防止と排水を行う時に使用するバット状の用具で、要介護者を極力動かさずにバットの挿入、取り外しが容易にできると共に、安価なプラスチックフィルムカバーの使用により、バットの洗浄を不要とした用具に関するものである。
【背景技術】
【０００２】要介護者の洗髪時、洗浄水を受けるバットを要介護者の洗髪時に要介護者の頭部下側の設置及び取り外しをする作業と、感染症等の予防から行うバットの洗浄に多くの労力を必要とする問題が生じていた。
これらを解決のためバット自体を平板状に出来る構造とし、頭部に対し挿入と取り出しが容易に出来る事と、安価なプラスチックフィルム製カバーに排水管を設けた物を平に広げた平板状とした物に被せて使用する事により、カバーのみを廃棄して洗浄を不要とし、介護者の労力を軽減出来るような用具が必要であつた。
【考案の概要】
【考案が解決しようとする課題】
【０００３】上述の如く要介護者の上体を起してバットの挿入、取り外しを行うため介護者の労力を多く必要とし、またバットの取り扱いや洗浄などが負担となっている、このため狭隘な場所や多くの介護者を擁する施設、病院での使用には不便な点があつた。
【課題を解決するための手段】
【０００４】本考案は、このような点に鑑みて成されたものであり、その目的は取り扱いが簡便であり軽量、コンパクトで誰でも簡単にセット、取り外しが出来、洗浄を不要とした構造で、安価な物を提供する事にある。
【考案の効果】
【０００５】以上説明したように本考案によれば、常時は折り畳みコンパクトであり使用時に広げて平板状にした後に排水口が取りつけられたプラスチックフィルムカバーを板に被せた物を、要介護者の頭部の下に横方向または前部より挿入した後に、周囲の板を任意の角度に立ち上げバット状にする事によりバット内で介護者が温水シャワー等により洗髪を行う。【０００６】洗浄廃水はカバーに設けられた排水口より直接ポリタンク等に貯留するかポンプを使用して容器、下水道に排出する、カバーは使用後外して廃棄出来る。
【考案を実施するための形態】
【０００７】以下本考案の形態を図面に基づき詳細に説明する。
【０００８】図１は、本用具を要介護者１４に対し、使用する状態の基本形態を示した斜視図である。
【０００９】図２は、本用具のベースとなるベース板２、左板３、右板４、前板５をフリースットップ蝶番６により結合されている４枚の板を折り畳み保管する場合の形態を示した斜視図である。
【００１０】図３は、図２の状態の用具を使用に際して左板３、右板４、前板５の各板を平の状態に広げた形態を示した斜視図である。
【００１１】図４は、図３の状態の物を左板３、右板４、前板５の各板を任意の角度の位置まで起しバット状とした形態を示した斜視図である。
【００１２】図５、図６は、図３の平の状態の物に被せるプラスチックフィルム製のカバーの形状を示し、図５は表面より図６は裏面より見た物であり、周囲に板を嵌める挿し込みポケット１０の溶着した状況と排水口１２の形態を示した斜視図である。
【００１３】次に本用具の使用順序について説明すると、図２の形状で保管されている用具をベース板２、左板３、右板４、前板５の順序で広げ平板状とする。
【００１４】図３の平板状の物に図５のプラスチックフィルムカバー９を前板５の切り欠き窓７に排水口１２を通し周囲の差し込みポケット１０を各板に嵌めた状態として取り付ける。
【００１５】プラスチックフィルムカバー９を被せた平板状の物を要介護者１４の頭部下に差し込み頭部を中心の位置とした後左板３、右板４、前板５を順次任意の角度位置まで立ち上げ必要に応じ絞り紐１３を結び広がりを防ぐ。
【００１６】排水口１２に排水方法によるホースを接続した後シャワー等により洗髪を行い、終了後は排水口１２よりホースを外し左板３、右板４、前板５を平の状態に戻し要介護者の頭部より引き出し必要に応じてプラスチックフィルムカバー９を外して廃棄する。
【図面の簡単な説明】
【００１７】
【図１】本考案の使用時の形態に係わる斜視図である。
【図２】本考案の用具を保管時に折り畳んだ状態を示す斜視図である。
【図３】図２の状態の用具を平に広げた状態を示す斜視図である。
【図４】図３の状態の用具を任意の角度まで周囲を起しバット状とした斜視図である。
【図５】図３の状態の用具に被せるプラスチックフィルム製カバーの表面側を見た斜視図である。
【図６】図５のプラスチックフィルム製カバーの裏面側より見た斜視図である。
【図７】図５のプラスチックフィルム製カバーの挿し込みポケット部分と溶着した部分を示す断面図である。
【符号の説明】
【００１８】１      洗髪用バット
２      ベース板
３      左板
４      右板
５      前板
６      フリーストップ蝶番
７      切り欠き窓
８      枕ブロック
９      プラスチックフィルム製カバー
１０    溶着部
１１    挿し込みポケット部
１２    排水口
１３    絞り紐
１４    要介護者
【図１】
0003161563.tif 000003
【図２】
0003161563.tif 000004
【図３】
0003161563.tif 000005
【図４】
0003161563.tif 000006
【図５】
0003161563.tif 000007
【図６】
0003161563.tif 000008
【図７】
0003161563.tif 000009
(57)【要約】      （修正有）【課題】触媒の流動接触を行わずに、安全性、低コスト、省スペースに富んだ重質油分解装置を提供する。【解決手段】流動接触分解装置のリアクター内塔頂付近に冷たいナフサを降らせるミストのシャワーを設置する。【選択図】図−１
0003161564.tif 000002
【実用新案登録請求の範囲】
【請求項１】
流動接触分解装置のリアクター内塔頂付近に冷たいナフサを降らせるミストのシャワーを設置した事を特徴とする重質油分解装置。
【考案の詳細な説明】
【技術分野】
【０００１】本発明は、触媒の流動接触を止めて重質油を分解してしまうものである。
【背景技術】
【０００２】リジェンタワーよりベーパーライズしてくるガスを流動接触ライン中に設置してある固定触媒層を通過させるこの触媒層で重質油のガスを分解させる。
今までは、リジェンで焚き上げたガスはリアクター内での分解であったが、凝縮したオイルの戻り（流動接触ライン中）が、多くみられた。
触媒層を流動接触ライン中に設置するとライン中での凝縮が、少なくオイルの戻りが全んどないと見られる又触媒層でのガスの分解によりリジェンからリアクターへの抜けが良くなるリジェンでの焚き上げ温度や圧力等の問題も少なくなるしフィードの重質油にブレンドするナフサの量の低減にもつながる。
リアクターに設置するナフサのミストのシャワーであるが、これは重質油分解装置で生成したものをクーラーに於いてクーリングして使うこれは従来のクーリングガス方式よりも凝縮がはるかに良くしかも分解されたガスを軽く吸収してしまう最良の方法であるうまく行けばリジェンのテイルガスを止めリジェンの焚き上げ温度低下圧力的な問題も解消する。
【考案の概要】
【考案が解決しようとする課題】［装置の簡素化、安全性の向上、コスト低減］
【課題を解決するための手段】［そこで本考案は、リジェンからの流動接触ラインに固定触媒層とリアクター内にナフサのミストシャワーを設置する。］  図−１参照
【考案の効果】［触媒の流動接触を止め安全しかも低温、低圧で運転が出来る］
【図面の簡単な説明】
【図−１】重質油分解装置タワーとリアクターの簡単な配管を示した平面図である。
【産業上の利用可能性】［流動接触の効率や触媒の価格、付帯機器の簡素化を考えれば当然の技術革新である。］
【図−１】
0003161564.tif 000003
(57)【要約】      （修正有）【課題】巻尺を床に立てたまま、トラブルなく計測できる横転防止の保持具を提供する。【解決手段】左右が対称的な形状に形成され、中央部が回動点を中心として回動自在になるように連結され、スプリングで回動付勢可能な滑り止めのある挟持部を有している。【選択図】図２
0003161582.tif 000002
【実用新案登録請求の範囲】
【請求項１】
左右１対に設けられ、左右が対称的な形状に形成され、中央部が回動点を中心として回動自在に連結された１対の挟み片と
前記挟み片の１端側の先端が、左右の挟み片の対称軸である中央線より離隔された把持部と
前記挟み片の前記把持部に対して逆の端側である挟持部と
左右の前記挟み片を前記回動点を中心に、前記挟持部の先端が圧着する方向に回動付勢するスプリングと
左右の前記挟み片の前記挟持部の先端に設けられた滑り止めと
中央線に対して垂直となるように，前記挟み片の連結部付近に固定した横バーとを有する横転防止の保持具。
【請求項２】
請求項１において、前記挟み片は前記挟持部が中心線から外側に向かって湾曲するように形成されていることを特徴とする横転防止の保持具。
【請求項３】
請求項１において前記横バーは前記挟み片の連結部に回動可能に取り付けられていることを特徴とする横転防止の保持具。
【考案の詳細な説明】
【技術分野】
【０００１】  本考案は横になっている物を立てて管理使用する場合の横転防止に関するものである。
【背景技術】
【０００２】  巻尺は主として手に持って計測するような作りになっている。
【先行技術文献】
【特許文献】
【０００３】
【特許文献１】  特開２００５−４３６８９号公報
【特許文献２】  特開２００６−１８３８０号公報
【特許文献３】  特開２００６−８１８３９号公報
【考案が解決しようとする課題】
【０００４】  作業時に両手が塞がり計測が困難な時，巻尺から測定テープを繰り出したまま床に立てて計測することがあった。しかし巻尺本体，あるいは測定テープに接触した時，巻尺が横転し測定テープの数字の表示面が横向きになり計測しにくかった。
そこで本考案の目的は上記の問題を解決するものであり，巻尺を立てたまま多少の衝撃を受けても，巻尺が横転しないようにした保持具を提供することである。
なお巻尺以外で名刺入れ，財布，定期券入れ等を立てて管理する事が可能でその管理方法が目立っため外出時の忘れ物防止になり，この横転防止の保持具の使用対象は多岐にわたる。
【課題を解決するための手段】
【０００５】  左右一対に設けられ，左右が対称的な形状に形成され中央部が回動点を中心として回動自在に連結された一対の挟み片と
前記挟み片の一端側の先端が左右の挟み片の対称軸である中央線より離隔された把持部と
前記挟み片の，前記把持部に対して逆の端側である挟持部と
左右の前記挟み片を前記回動点を中心に，前記挟持部の先端が圧着する方向に回動付勢するスプリングと
左右の前記挟み片の前記挟持部の先端に設けられた滑り止めと
中央線に対して垂直となるように，前記挟み片の連結部付近に固定して設けられた横バーとを有するものである。
また前記挟み片は，前記挟持部が中央線より外側に向かって湾曲するように形成されていることを特徴とするものである。
また前記横バーは，前記挟み片の連結部に回動可能に取り付けられていることを特徴とするものである。
【考案の効果】
【０００６】  本考案は巻尺を立てて置く場所が多少凹凸があっても，また巻尺が多少の衝撃を受けても立てた巻尺が横転せず計測作業が可能である。
また名刺入れ，財布，定期券入れ等，本来横になっている物を立てて管理することによりその方法が重宝される。
【図面の簡単な説明】
【０００７】
【図１】  本考案に係る巻尺を挟んだ横転防止の保持具の側面図である。
【図２】  図１の横転防止の保持具の平面図である。
【図３】  本考案の請求項３にある横転防止の保持具で横バーを開いた底面図である。
【図４】  図３の横バーを閉じた底面図である。
【考案を実施するための最良の形態】
【０００８】  以下図面をもって考案の実施の形態を説明する。【０００９】  図１、図２のように巻尺の測定テープ（２）を適当な長さに繰り出し，その巻尺（１）を立てたまま横転防止の保持具（３）で両側から挟み付けて固定したもので，瞬時の着脱が可能である。【００１０】  この横転防止の保持具（３）は，図２の平面図のように中央線を境に左右が対称的な形状に形成され，中央部が回動点（１１）を中心として回動自在に連結された一対の挟み片（５）から形成されている。【００１１】  図２のように挟み片（５）のそれぞれの挟持部（４）には塩化ビニール等のような、柔軟性のある滑り難い素材からなるクッション兼滑り止め（４）がついている。【００１２】  図２のように回動点（１１）の中央部にあるスプリング（７）に中央線に垂直となるように横バー（８）を結束バンド（１０）により結束し，これにより横転を防止する。【００１３】  図２のスプリング（７）は中央線を境にした左右の挟み片（５）を回動点（１１）を中心に挟持部（４）の先端が圧着する方向に回動付勢する。【００１４】  図２のそれぞれの挟み片（５）は挟持部（４）が中央線から外側に湾曲するように形成され厚みのある巻尺（１）を容易に挟むことが可能である。【００１５】  図３の横バー（８）は回動点（１１）付近に一箇所を結束バンド（１０）により結束され、回動可能になっている。【００１６】  図４の横バー（８）は図３の横バー（８）を閉じて横幅を小さくしたものである。
【符号の説明】
【００１７】１  巻尺                          ６  把持部
２  測定テープ                    ７  スプリング
３  横転防止の保持具              ８  横バー
４  挟持部・滑り止め              ９  測定テープ繰り出しストッパー
５  挟み片                      １０  結束バンド
１１  回動点
【図１】
0003161582.tif 000003
【図２】
0003161582.tif 000004
【図３】
0003161582.tif 000005
【図４】
0003161582.tif 000006
(57)【要約】【課題】  本考案は、団子や焼鳥など串刺しの食品を自然な姿で食べやすくすることが出来る串刺し食品の補助具を提供する。【解決手段】  円盤状の受盤の下面中央に円筒状の支軸を一体に垂下して設け、受盤の上面中央から支軸の中心に貫通して孔を設けたことを特徴とする串刺し食品の補助具。【選択図】図１
0003161588.tif 000002
【実用新案登録請求の範囲】
【請求項１】
円盤状の受盤の下面中央に円筒状の支軸を一体に垂下して設け、受盤の上面中央から支軸の中心に貫通して孔を設けたことを特徴とする串刺し食品の補助具。
【考案の詳細な説明】
【技術分野】
【０００１】  本考案は、串に通した食品の団子や焼鳥等を食する際に、最初の食材を食した後、次の食材を串の先端に移すための、串刺し食品の補助具に関するものである。
【背景技術】
【０００２】  従来、焼鳥や団子などの串物の食品は、１本の串に数個の食材を、一直線に串刺しされている。
これらを食するときは、串の先端から、最初の食材を口にくわえて食べた後、串に連なる次の食材を口でくわえて食べる。
【考案の概要】
【考案が解決しようとする課題】
【０００３】  そのために、次のような問題点がある。
串に連続して刺した食材の先端にある最初の食材は、口にくわえて食べやすいが、次に連なる２番目の食材やその次の３番目の食材は、口にくわえ難い。
そのために、串を唇と並行になるように横にして食材を口にくわえ、食材を串から横方向に滑らせながら、串の先端より食材を抜き取って、食さなければならない。
したがって、串の根元にある食材を食べるときは食べ難く、また食べ方が下品になる。
本考案は、これらの問題点を解決されるためになされたものである。
【課題を解決するための手段】
【０００４】  円盤状の受盤の下面中央に円筒状の支軸を垂下させて一体に設け、受盤の表面の中央から支軸の中心に貫通して孔を設ける。
以上のように構成された串刺し食品の補助具である。
【考案の効果】
【０００５】  本考案は、串物を食する際、串の中間に納まっている物を、口に運ぶとき、食べやすくなり、見苦しい格好をせずして、自然な姿で食することが出来る。
串の先端にある食材を食した後、次に連なる食材やその次々に連なる食材を串の先端に移すことによって食べやすくなる。
【図面の簡単な説明】
【０００６】
【図１】  本考案の斜視図である。
【図２】  本考案の使用状態を示した正面図である。
【図３】  本考案の使用状態を示した斜視図である。
【考案を実施するための形態】
【０００７】  以下、本考案を実施するための形態について説明する。
（イ）円盤状の受盤（２）の下面の中央に円筒状の支軸（１）を一体に垂下するように設ける。
（ロ）受盤（２）の上面中央から支軸（１）の中心に貫通する孔（３）を設ける。
本考案は、以上のように構成された串刺し食品の補助具である。
本考案の使い方を説明する。
串団子等を食する際、支軸（１）の上部に固定されている受盤（２）の上部より、孔（３）に串（４）の下端より挿入する。
指で軽く支軸（１）を摘まみ一方の手で串（４）を持ち下方に引き降ろすことによって、食材の団子（５）に串（４）の先端が沈み団子（５）の中に納まり食するとき、危険性がなくなる。
受盤（２）が上方になるようにして、串（４）の軸の根元から差込み支軸（１）を指で挟みながら、串（４）を下方に引き下げる。
【符号の説明】
【０００８】  １  支軸
２  受盤
３  孔
４  串
５  食材
【図１】
0003161588.tif 000003
【図２】
0003161588.tif 000004
【図３】
0003161588.tif 000005
(57)【要約】【課題】浴室での清掃具に関し、浴槽、浴室壁面、蛇口、シャワーホース、腰掛け等、浴室内のもの全てに清掃可能で清掃しやすく、湯垢等の汚れが落ちやすい清掃具を提供することを目的とする。【解決手段】生地を重ね合わせ袋状に縫製し、その片面中央部付近が開口していることを特徴とする。【選択図】図１
0003161586.tif 000002
【実用新案登録請求の範囲】
【請求項１】
浴室や洗面台廻りで使用される清掃具において、生地を重ね合わせ袋状に縫製し、生地の片面中央部付近が開口していることを特徴とする清掃具。
【請求項２】
生地の一部にナイロン製のクリンプ糸を使用していることを特徴とする請求項１記載の清掃具。
【請求項３】
生地の一部に極細繊維を織り込んだことを特徴とする請求項２に記載の清掃具。
【考案の詳細な説明】
【技術分野】
【０００１】本考案は、浴室内の浴槽や蛇口、腰掛け等を清掃する為に使用する清掃具に関するものである。
【背景技術】
【０００２】現状、浴槽や浴室の壁面等を清掃する道具としては、ウレタンフォームと不織布を貼り合わせたスポンジや、そのスポンジと柄が一体化したものが使用される。また、浴室や洗面台の蛇口など細部を清掃する場合などは、細かな細部洗い用のブラシ等が使用されている。【０００３】一般的には、浴室用としての清掃スポンジは、浴槽や浴室の壁面等、主に広い面を清掃することを想定して、比較的大きなサイズ例えば、１７×９×５ｃｍくらいの大きさのものが使用されている。【０００４】また、浴室内で使用される腰掛けやシャワーのシャワーヘッドやシャワーホースを清掃する為の専用の清掃具がなく、清掃する際には、前記の浴室用スポンジやブラシを使用するのが一般的である。【０００５】しかし、浴室用スポンジやブラシでは、腰掛けやシャワーホースなどの曲面、細部の箇所を清掃しにくく、湯垢等が残りやすかった。
【考案の概要】
【考案が解決しようとする課題】
【０００６】そこで本考案は、浴室での清掃具に関し、浴槽、浴室壁面、蛇口、シャワーホース、腰掛け等、浴室内のもの全てに清掃可能で清掃しやすく、湯垢等の汚れが落ちやすい清掃具を提供することを目的とする。
【課題を解決するための手段】
【０００７】本考案の請求項１による清掃具は、生地を重ね合わせ袋状に縫製し、その片面中央部付近が開口していることを特徴とする。【０００８】請求項２による清掃具は、請求項１に記載の清掃具において、生地の一部にナイロン製のクリンプ糸を使用していることを特徴とする。【０００９】請求項３による清掃具は、請求項２に記載の清掃具において、生地の一部に極細繊維を織り込んでいることを特徴とする。
【考案の効果】
【００１０】本考案にあっては、生地を重ね合わせ袋状に縫製し、その片面中央部付近を開口させることによって、清掃時に手が挿入可能になり、生地がやわらかい為、シャワーホース、蛇口等は対象物を包みこむように清掃可能となる。指先の感覚が行き届き細かな部分まで清掃可能となる。中央部付近を開口すると、その中央から容易に折りたたみ可能となる為、手を差し込んだ場合などで折りたたんで清掃できる。【００１１】請求項２による場合は、生地の一部にナイロン製のクリンプ糸を用いており、生地が凹凸しているので、浴槽や蛇口等に付着しやすい湯垢等をかき落とすことができ、汚れを落としやすい。【００１２】請求項３による場合は、生地の一部に極細繊維を織り込むことによって、繊維に汚れをとりこみ、洗剤が少量または無い状態においても、水だけで汚れを落とすことができる。
【考案を実施するための形態】
【００１３】図１は本考案の実施形態による清掃具の実施例を示す図で生地中央部付近が開口しており、清掃時に手が挿入可能な形状になっている。
【００１４】生地２は、生地に厚みを持たせる為に生地を２枚に積層したものを袋状に縫製している。一般的に体を洗う為に用いるナイロンタオルを利用して作成しても良い。
【００１５】織り込んだ極細繊維を、清掃面に接するように外側に現れるように縫製する。
【００１６】図２のように開口部に手を差し込んで洗うことができる。
【００１７】開口部に手を差し込んでシャワーホースを包み込むように洗うことができるため、細部の汚れを落とすことができる。
【図面の簡単な説明】
【００１８】
【図１】本考案の一実施例による清掃具を示す斜視図である。
【図２】本考案の一実施例による清掃具での使用状態を示した斜視図である。
【図３】本考案の一実施例による清掃具でのシャワーホースの清掃状態を示す斜視図である。
【符号の説明】
【００１９】１    本体
２    生地
３    開口部
４    極細繊維
５    シャワーホース
【図１】
0003161586.tif 000003
【図２】
0003161586.tif 000004
【図３】
0003161586.tif 000005
(57)【要約】      （修正有）【課題】情報端末や画像映像記録装置等の後付ケースに衝撃保護機能と貼り付け固定機能を持たせるための吸盤付ケースを提供する。【解決手段】情報端末や画像映像記録装置１等をフルカバーするケース２と吸盤３を、ゴム等で一体で成形することで衝撃保護機能と貼り付け固定機能を持たせる。【選択図】図１
0003161587.tif 000002
【実用新案登録請求の範囲】
【請求項１】
収納ケースと吸盤をゴム等で一体で成形したことを特徴とする情報端末や画像映像記録装置等の後付ケース。
【請求項２】
請求項１に於いてケースと吸盤を二色成形の方法で一体で成形したことを特徴とする情報端末や画像映像記録装置等の後付ケース。
【請求項３】
請求項１に於いて吸盤の大きさを直径１５ミリ以下とし吸盤を複数配設したことを特徴とする情報端末や画像映像記録装置等の後付ケース。
【考案の詳細な説明】
【技術分野】
【０００１】  本考案は、情報端末や画像映像記録装置等の後付ケースに関する物である。
【背景技術】
【０００２】  従来の技術思想では、レンズ付きフィルムに吸盤を付加し写真を撮る際の固定に用いるという考案があった。
【先行技術文献】
【特許文献】
【０００３】  実用新案公開平６−７３７５８号  公報
【考案の概要】
【考案が解決しようとする課題】
【０００４】  本考案は、情報端末や画像映像記録装置等の後付ケースに衝撃保護機能と貼り付け固定機能を持たせることを課題とする。
【課題を解決するための手段】
【０００５】  本考案は情報端末や画像映像記録装置等をフルカバーするケースと吸盤を、ゴム等で一体で成形することで衝撃保護機能と貼り付け固定機能を持たせるという課題を解決する。
【考案の効果】
【０００６】  本考案はフルカバーするケースと吸盤を、ゴム等で一体で成形することで情報端末や画像映像記録装置等本体を傷や衝撃から守り、吸盤で任意の箇所や物に貼り付けることで撮影を安定させる三脚の効果も得られる。
【図面の簡単な説明】
【０００７】
【図１】吸盤付きケースと画像映像記録装置の俯瞰図である。
【図２】画像映像記録装置に吸盤付きケースを被せた状態の断面図である。
【図３】吸盤付きケースと画像映像記録装置の操作面の俯瞰図である。
【図４】画像映像記録装置に両面吸盤付きケースを被せた状態の断面図である。
【図５】両面吸盤付きケースをコップに貼り付けた状態の断面図である。
【図６】両面吸盤付きケースを壁に貼り付けた状態の断面図である。
【考案を実施するための形態】
【０００８】  情報端末や画像映像記録装置等をフルカバーするケースをウレタンゴムやシリコンゴム等で一体に成型し該ケースの外表面にケースと一体に複数の小さな吸盤を成形する。
【実施例】
【０００９】  以下、添付図面に基づいて実施例を説明する。図１は本考案の画像映像記録装置等のケース２と該装置１の関係を示す俯瞰図である。１ａは該装置のレンズを示す。２ａは該ケースに開口されたレンズ用穴を示す。【００１０】  図２は該装置１に該ケース２を被せた状態の断面図である。ケースの片面に吸盤３が突設されている。【００１１】  図３は両面に吸盤を突設した画像映像記録装置等のケース２と該装置１の関係を示す俯瞰図である。該ケース２の両面に吸盤を突設することで貼り付け固定の自由度が増す。２ｃはモニター画面用開口、２ｄは操作スイッチ用の開口を示す。図４は該装置１に、両面に吸盤を突設した画像映像記録装置等のケース２を被せた状態の断面図である。【００１２】  図５は机上のコップ４に該装置１を挿入した該ケース２を吸盤３で固定した状態の断面図である。レンズ穴１ａを通して画像映像を撮影することが出来る。図６は該装置１を挿入した該ケース２を吸盤３で壁面に固定した状態の断面図である。
【符号の説明】
【００１３】１  画像映像記録装置本体
２  画像映像記録装置のケース
３  吸盤
４  コップ
５  壁面
【図１】
0003161587.tif 000003
【図２】
0003161587.tif 000004
【図３】
0003161587.tif 000005
【図４】
0003161587.tif 000006
【図５】
0003161587.tif 000007
【図６】
0003161587.tif 000008
(57)【要約】      （修正有）【課題】スパナにラチェット機構を組み込んだ工具を提供する。【解決手段】材質は工具に適した金属製で、３層構造であり、中央の層にラチェット機構を設置し、ラチェットの歯車を止めるピンとピンを押さえるスプリングで構成される。工具の開放部分で、ラチェットが空回りするのを防止するために、ピンとスプリングはラチェット機構の両側に設置する。整備行程において、他のパーツやボルトが邪魔をして、ソケットレンチや、メガネレンチ、ラチェットレンチが使用できない場所に差し込んで、ネジにかみ合わせ，締める、または緩めるの動作を行う。締める、緩めるは工具を裏にして変更する。【選択図】図１
0003161506.tif 000002
【実用新案登録請求の範囲】
【請求項１】
ラチェット式メガネレンチの一部を開放し、スパナ型とすることにより、メガネレンチが使用不可能な場所のナットを連続して回すことが出来る、としたところを特徴としたレンチである。
【考案の詳細な説明】
【技術分野】
【０００１】  本考案は、スパナにラチェット機構を組み込んだ工具に関するものである。
【背景技術】
【０００２】    整備作業において、ラチェットレンチやメガネレンチが使用不可能な場所では、スパナを抜き差しして使用する必要があった。
【考案の開示】
【考案が解決しようとする課題】
【０００３】  スパナ以外使用不可能且つ狭い場所においては、少しずつしか作業が進まず非効率であるため、スパナにラチェット機構を持たせて作業効率を上げようとするものである。
【課題を解決するための手段】
【０００４】  本考案はレンチを金属パーツで重ね合わせて構成し、間にラチェット機構を持たせ、先端部を開放し、ネジに対して差し込んで使用できるようにな  るので問題点を解決可能である。
【考案の効果】
【０００５】  上述のように本考案のラチェット式スパナは、一連の整備作業において、著しく効率が下がる環境をなくし円滑な産業活動を可能にするものである。
【考案を実施するための最良の形態】
【０００６】  整備行程において、他のパーツやボルトが邪魔をして、ソケットレンチや、メガネレンチ、ラチェットレンチが使用できない場所に差し込んで、ネジにかみ合わせ，締める、または緩めるの動作を行う。締める、緩めるは工具を裏にして変更する。
【実施例】
【０００７】  以下、添付図面に従って実施例を説明する。材質は工具に適したきんぞくせいで、３層構造であり、中央の層にラチェット機構を設置し、ラチェットの歯車を止めるピンとピンを押さえるスプリングで構成される。工具の開放部分で、ラチェットが空回りするのを防止するために、ピンとスプリングはラチェット機構の両側に設置する。
【図面の簡単な説明】
【０００８】
【図１】  本考案のスパナ型ラチェットレンチの構造を示す平面図である。
【図２】  本工具の側面図である。
【符号の説明】
【０００９】１  スパナ型ラチェットレンチ本体。
２  スパナ型ラチェット部。
３  ラチェット部を留めるピン。
４  ３層構造固定用ピン。
５  ラチェット部歯車固定用ロックピン。
６  固定用ロックピンを押さえる板状スプリング。
【図１】
0003161506.tif 000003
【図２】
0003161506.tif 000004
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
工具の先端中央に六角の穴があるラチェットレンチの一部を開放した、スパナ型ラチェットレンチ。
(57)【要約】      （修正有）【課題】自転車の子供を乗せる後部座席に、防寒を目的とする上からかぶせるカバーであり、頭がでているので安全ヘルメットが着用できる補助席用防寒カバーを提供する。【解決手段】体の部分だけをおおい、上部は紐を引き締めるだけで容易に防寒する。頭や手をある程度だして防寒できることから、子供が嫌がらずに、なおかつ安全ヘルメットの着用ができる点である。外側はラミネート加工で風の侵入を防ぎ、内側はフリース生地やマイクロボア生地などを用い、暖かさを促進する。柄は子供の好きな柄にできるので好まれる。紐で上部を引き締め上側からのかぜの進入を防ぎ、下部はゆるくゴムをいれ、子供の足の動きを妨げないようにどの車載機にも装着しやすいようにする。【選択図】図１
0003161508.tif 000002
【実用新案登録請求の範囲】
【請求項１】
どの形状の自転車の後部子供車載機でも対応できる、着脱簡単な防寒カバー。
子供の頭部だけだせるので頭部には安全ヘルメット着用できるような筒形の形状にできており、外側はラミネート加工の生地を用い、内側にフリース生地やマイクロボアの生地を用いる事によって、風をよけられる。
生地に使用する柄を子供の好きな柄にできるので寒くて嫌がる子供にも好まれるカバー。
【考案の詳細な説明】
【技術分野】
【０００１】  本考案は、簡単に補助席に着脱でき子供を乗せる場合にも負担がないように、筒型の形状になっている。【０００２】  子供の顔だけだせるようにできているが、上部はひもでひきしめて風の侵入を防ぐ。【０００３】  外側はラミネート加工でできた生地を使用、内側はフリース生地やマイクロボアなどの暖かい生地で防寒する。【０００４】  すそは緩めのゴムをいれてあるので、どの形状の子供車載機でも対応できるようにする。
【背景技術】
【０００５】  類似品はあるが、そちらは子供の頭からかぶせてしまうので、外の様子が伺えず子供が嫌がってしまう恐れがある。
【考案の開示】
【考案が解決しようとする課題】
【０００６】  解決しようとする問題点は、いつものように自転車に乗せて且つ防寒できることで、子供が嫌がらずに乗降できることと、安全ヘルメットの着用ができる点である。
【課題を解決するための手段】
【０００７】  本考案は、体の部分だけをおおい、上部はある程度紐を引き締めるだけで容易に防寒する。
【考案の効果】
【０００８】  安心に頭や手をある程度だして防寒できることから、子供が嫌がらずに、なおかつ安全ヘルメットの着用ができる点である。
【考案を実施するための最良の形態】
【０００９】  外側はラミネート加工で風の侵入を防ぎ、内側はフリース生地やマイクロボア生地などを用い、暖かさを促進する。柄は子供の好きな柄にできるので好まれる。
紐で上部を引き締め上側からのかぜの進入を防ぎ、頭はだせるので安全ヘルメットを着用できる。
下部はゆるくゴムをいれ、子供の足の動きを妨げないようにどの車載機にも装着しやすいようにする。
【産業上の利用可能性】
【図面の簡単な説明】
【００１０】
【図１】  本考案の側面図である。
【符号の説明】
【００１１】  １  フリースもしくはマイクロボア生地
２  ひも
３  ひも止め
４  ラミネート加工された生地もしくはナイロン等
５  ゆるめにゴム
【図１】
0003161508.tif 000003
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
自転車の後部に取り付ける子供車載機に対応する、着脱簡単でどの形状にも対応ができる筒型のかぶせる形状の自転車子供後ろ補助席用防寒カバー。